(57)【要約】【課題】  質量が比較的小さくかつフレキシビリティ（柔軟性）が大きい固定装置の提供。【解決手段】  孔部に嵌込むための係止脚部（３）を有する固定装置であって、  前記係止脚部（３）が、頭部（１）から離隔する方向に延在する脚部シャフト（４）を含み、かつ前記係止脚部（３）が、該脚部シャフト（４）の側端縁部（複数）に配される複数の翼部（７、８）を含むよう構成される固定装置において、前記脚部シャフト（４）は、複数の側縁ウェブ（５、６）を含んで構成され、該複数の側縁ウェブ（５、６）の各々の間には、自由空間（２０）が形成されていることを特徴とする。【選択図】  図１
2008519946.tif 000002
【特許請求の範囲】
【請求項１】
孔部に嵌込むための係止脚部（３）を有する固定装置であって、
前記係止脚部（３）が、頭部（１）から離隔する方向に延在する脚部シャフト（４）を含み、かつ前記係止脚部（３）が、該脚部シャフト（４）の側端縁部（複数）に配される複数の翼部（７、８）を含むよう構成される固定装置であって、
前記脚部シャフト（４）は、複数の側縁ウェブ（５、６）を含んで構成され、該複数の側縁ウェブ（５、６）の各々の間には、自由空間（２０）が形成されていること
を特徴とする固定装置。
【請求項２】
前記複数の側縁ウェブ（５、６）の数は、前記複数の翼部（７、８）の数に相当すること、及び
前記複数の翼部（７、８）は、夫々、各自に対応付けられた側縁ウェブ（５、６）に配されていること
を特徴とする請求項１に記載の固定装置。
【請求項３】
前記複数の側縁ウェブ（５、６）は、夫々、外方に湾曲された中央部分（１２、１３）を含むこと
を特徴とする請求項１又は２に記載の固定装置。
【請求項４】
前記複数の側縁ウェブ（５、６）は、前記頭部（１）から離隔する各自の端部において、前記脚部シャフト（４）の脚部ブリッジ部材（９）を介して互いに結合されること
を特徴とする請求項１〜３の何れか一項に記載の固定装置。
【請求項５】
前記複数の側縁ウェブ（５、６）は、前記頭部（１）を指向する各自の端部において、夫々、前記頭部（１）との結合を形成する結合部材（１６、１７）が形成されていること
を特徴とする請求項１〜４の何れか一項に記載の結合装置。
【請求項６】
前記複数の側縁ウェブ（５、６）は、夫々、前記頭部（１）に指向すると共に他の構成要素の材料厚さよりも大きい材料厚さを有する基部分（１４、１５）を含むこと
を特徴とする請求項１〜５の何れか一項に記載の固定装置。
【請求項７】
対向して配置される２つの側縁ウェブ（５、６）は、中央面に対しずらされて配置されていること
を特徴とする請求項１〜６の何れか一項に記載の固定装置。
【発明の詳細な説明】
【技術分野】
【０００１】
本発明は、請求項１の上位概念に基づく固定装置に関する。
【背景技術】
【０００２】
この種の固定装置は、DE 100 06 593 A1から既知である。この既知の固定装置は、孔（ないし切欠き開口）に嵌込むための１つの係止脚部を有し、該係止脚部は、頭部から離隔する側に延在する平板状の脚部シャフトを有し、該平板状脚部シャフトの側縁部には２つの翼部が形成されている。
【特許文献１】DE 100 06 593 A1
【発明の開示】
【発明が解決しようとする課題】
【０００３】
本発明は、質量が比較的小さくかつフレキシビリティ（柔軟性）が大きくなるよう構成された冒頭で述べた種類の固定装置を提供することである。
【課題を解決するための手段】
【０００４】
上記の課題は、冒頭で述べた種類の固定装置において、請求項１の特徴部に記載の特徴によって解決される。
【発明の効果】
【０００５】
本発明の固定装置では、脚部シャフトが、互いに対し離隔して配置されると共に（夫々１つの）自由空間を包囲するよう配置された複数の側縁ウェブ（Randstege）を含んで構成されることによって、脚部シャフトは、重量（質量）を比較的小さくすることができると共に、比較的大きな変動幅の範囲内でその寸法が変化する孔（ないし切欠き開口）に適合するための大きなフレキシビリティ（適応の柔軟性）を有することができる。というのは、このように構成された側縁ウェブ（複数）は、脚部シャフトに比較的大きなフレキシビリティ（柔軟性ないし可撓性）を与えるからである。
【発明を実施するための最良の形態】
【０００６】
本発明の更なる有利な実施形態は、従属請求項の対象である。
【０００７】
以下に、本発明の好ましい実施例を図面を参照して説明する。なお、以下の説明から、本発明の更に有利な形態及び利点も明らかになる。
【実施例】
【０００８】
図１は、本発明の装置の一実施例の斜視図である。この本発明の装置は、本発明の装置の係止脚部３の方向に開かれている漏斗状（円錐台状）の傘状カバー部材２を含む頭部１を有する。係止脚部３は、例えば（本発明の）固定装置によって互いに結合される２つの部材を有するツーピースの（二部分からなる：zweiteilig）担持部材ないし装置（Traegeranordnung：固定対象物）（図１に不図示）の孔（ないし切欠き開口部）に嵌込可能に構成されている。更に、係止脚部３は、本書で説明する実施例では、第１の側縁ウェブ５と第２の側縁ウェブ６とを有し頭部１から離隔する方向に延在するよう構成された脚部シャフト４を有する。側縁ウェブ５、６は、互いに向い合うよう配置されている。第１の側縁ウェブ５の外側の側端縁部には、第１の翼部７が配され（形成され）、第２の側縁ウェブ６の外側の側端縁部（側縁部）には、それに応じて、第２の翼部８が形成されている。
【０００９】
側縁ウェブ５、６は、頭部１から離隔する側を指向する各自の端部において脚部シャフト４の脚部ブリッジ部材（Fusssteg）９を介して互いに結合されている。更に、側縁ウェブ５、６は、夫々、脚部ブリッジ部材９に配され（形成され）互いに対しほぼ平行に延在する短い末端部分１０、１１と、互いに対し（傘状カバー部材２の半径方向）外方に離隔するよう（中心軸から見て凹状に）湾曲されより長く構成された中央部分１２、１３と、末端部分１０、１１の（中央部分１２、１３を挟んで）反対側に位置し再びより短く構成された基部分１４、１５とを有する。基部分は、末端部分１０、１１及び中央部分１２、１３の各々の材料肉厚よりも大きい材料肉厚で構成されているが、これは、この実施例では、基部分１４、１５の互いに向い合う（傘状カバー部材２の半径方向内方を指向する）夫々の内側部分における材料の付加（厚み付けないし肉付け）によって生成されている。基部分１４、１５は、傘状カバー部材２の内側に結合されている結合部材１６、１７に配されている（形成ないし結合されている）。２つの結合部材１６、１７の間には、安定化（強化）部材（ないしリブ）１８、１９が形成されている（配設されている）。安定化（強化）部材１８、１９は、結合部材１６、１７と連携して、傘状カバー部材２をその中心領域において安定化（強化）し、本発明の固定装置を孔に安定的に配置することを支援する。その結果、脚部シャフト４には、頭部１から脚部ブリッジ部材９まで延在しかつ側縁ウェブ５、６の２つの長手方向側部によって境界が形成される自由空間２０が画成（形成）される。
【００１０】
本発明の固定装置の翼部７、８は、夫々、対応する側縁ウェブ５、６の基部分１４、１５に配される（形成ないし結合される）狭窄（絞り）嵌込部分（Eintauchabschnitt）２１、２２を含んで構成される。狭窄（絞り）嵌込部分２１、２２は、頭部１から離隔する方向に向かって周（ないし径）が拡開する（頭部１に向かって狭窄する）よう構成されている。狭窄（絞り）嵌込部分２１、２２の各々からは、末端部分１０、１１の方向に、夫々（１つの）貫通係止部分２３、２４が延在する。貫通係止部分２３、２４は、夫々の周面が、末端部分１０、１１の方向に再び縮小する（狭窄する）よう構成されている。狭窄（絞り）嵌込部分２１、２２と貫通係止部分２３、２４の係止脚部３の最大外周部分（最大径部分）との間の移行領域には、頭部１の方向に指向する係止面２５、２６が形成されている。本発明の固定装置が所定の（適切な）態様で（固定対象物の孔に嵌込まれて）配置されると、係止面２５、２６が、固定対象物に後方から係合ロックすることによって、本発明の固定装置は該固定対象物と固定的に結合される。
【００１１】
自由空間２０が形成されることにより、一面では、中実の（durchgehend）脚部シャフトに比べて重量（質量）を小さくすることができ、他面では、本発明の固定装置の脚部シャフト４は、比較的大きな変動範囲内にある横方向寸法を有する孔（ないし切欠き開口）に嵌込むことを可能にする比較的大きなフレキシビリティ（適応の柔軟性）を備えることができる。更に、翼部７、８は、とりわけ当該翼部７、８が側縁ウェブ５、６の中央部分１２、１３に配されている（結合ないし形成されている）中央領域において、それら自身のフレキシビリティ（柔軟性ないし可撓性）に加え、側縁ウェブ５、６が一緒に湾曲することにより、その横断面が明確に（大きく）縮小することが可能になる。
【００１２】
図２は、脚部ブリッジ部材９の方向に見た場合の狭窄（絞り）嵌込部分２１、２２の領域における図１の実施例の係止脚部３の横断面を示す。図２から明らかなとおり、側縁ウェブ５、６は、中央面に対して横方向に互いにずらされて配置されているため、本発明の固定装置は、射出成形によって比較的容易に製造することができる。
【図面の簡単な説明】
【００１３】
【図１】係止脚部を有する本発明の結合装置の一実施例の斜視図。
【図２】図１の実施例の係止脚部の横断面。
【図１】
2008519946.tif 000003
【図２】
2008519946.tif 000004
【手続補正書】
【提出日】平成18年8月17日(2006.8.17)
【手続補正１】
【補正対象書類名】特許請求の範囲
【補正対象項目名】全文
【補正方法】変更
【補正の内容】
【特許請求の範囲】
【請求項１】
孔部に嵌込むための係止脚部（３）を有する固定装置であって、
前記係止脚部（３）が、頭部（１）及び脚部ブリッジ部材（９）に夫々結合される複数の側縁ウェブ（５、６）を含む脚部シャフト（４）を含み、該複数の側縁ウェブ（５、６）の各々の間には、自由空間（２０）が形成されかつ該複数の側縁ウェブ（５、６）は該頭部（１）から離隔する方向に延在し、及び
前記係止脚部（３）が、複数の翼部（７、８）を含むよう構成される固定装置であって、
前記複数の翼部（７、８）は、夫々、各自に対応付けられた前記側縁ウェブ（５、６）に配され、
前記複数の翼部（７、８）は、夫々、対応する前記側縁ウェブ（５、６）の基部分（１４、１５）に配される狭窄嵌込部分（２１、２２）を含んで構成され、
前記（複数の）狭窄嵌込部分（２１、２２）は、前記頭部（１）から離隔する方向に向かって周が拡開するよう構成され、
前記（複数の）狭窄嵌込部分（２１、２２）の各々からは、末端部分（１０、１１）の方向に、夫々、貫通係止部分（２３、２４）が延在し、
前記（複数の）貫通係止部分（２３、２４）は、夫々の周が、前記末端部分（１０、１１）の方向に再び縮小するよう構成され、
前記（複数の）狭窄嵌込部分（２１、２２）と前記（複数の）貫通係止部分（２３、２４）の前記係止脚部（３）の最大周部分との間の移行領域には、前記頭部（１）の方向に指向する（複数の）係止面（２５、２６）が形成され、
前記固定装置が所定の態様で配置されると、前記（複数の）係止面（２５、２６）が固定対象物に後方から係合ロックすることによって、前記固定装置は該固定対象物と固定的に結合されるよう構成されること、
前記複数の側縁ウェブ（５、６）は、夫々、外方に湾曲された中央部分（１２、１３）を含むこと、及び
前記複数の側縁ウェブ（５、６）は、夫々、前記頭部（１）に指向すると共に他の構成要素の材料厚さよりも大きい材料厚さを有する基部分（１４、１５）を含むこと
を特徴とする固定装置。
【請求項２】
前記複数の側縁ウェブ（５、６）は、前記頭部（１）から離隔する各自の端部において、前記脚部シャフト（４）の脚部ブリッジ部材（９）を介して互いに結合されること
を特徴とする請求項１に記載の固定装置。
【請求項３】
前記複数の側縁ウェブ（５、６）は、前記頭部（１）を指向する各自の端部において、夫々、前記頭部（１）との結合を形成する結合部材（１６、１７）が形成されていること
を特徴とする請求項１又は２に記載の固定装置。
【請求項４】
対向して配置される２つの側縁ウェブ（５、６）は、中央面に対しずらされて配置されていること
を特徴とする請求項１〜３の何れか一項に記載の固定装置。
【手続補正２】
【補正対象書類名】明細書
【補正対象項目名】０００２
【補正方法】変更
【補正の内容】
【０００２】
この種の固定装置は、DE 100 06 593 A1から既知である。この既知の固定装置は、孔（ないし切欠き開口）に嵌込むための１つの係止脚部を有し、該係止脚部は、頭部から離隔する側に延在する平板状の脚部シャフトを有し、該平板状脚部シャフトの側縁部には２つの翼部が形成されている。さらに以下の特許文献２，３が既知である。
【特許文献１】DE 100 06 593 A1
【特許文献２】FR 2 142 200 A
【特許文献３】GB 1 348 753 A
【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
孔部に嵌込むための係止脚部を有する固定装置であって、
前記係止脚部が、頭部及び脚部ブリッジ部材に夫々結合される複数の側縁ウェブを含む脚部シャフトを含み、該複数の側縁ウェブの各々の間には、自由空間が形成されかつ該複数の側縁ウェブは該頭部から離隔する方向に延在し、及び
前記係止脚部が、複数の翼部を含むよう構成される固定装置であって、
前記複数の翼部（７、８）は、夫々、各自に対応付けられた前記側縁ウェブ（５、６）に配され、
前記複数の翼部（７、８）は、夫々、対応する前記側縁ウェブ（５、６）の基部分（１４、１５）に配される狭窄嵌込部分（２１、２２）を含んで構成され、
前記（複数の）狭窄嵌込部分（２１、２２）は、前記頭部（１）から離隔する方向に向かって周が拡開するよう構成され、
前記（複数の）狭窄嵌込部分（２１、２２）の各々からは、末端部分（１０、１１）の方向に、夫々、貫通係止部分（２３、２４）が延在し、
前記（複数の）貫通係止部分（２３、２４）は、夫々の周が、前記末端部分（１０、１１）の方向に再び縮小するよう構成され、
前記（複数の）狭窄嵌込部分（２１、２２）と前記（複数の）貫通係止部分（２３、２４）の前記係止脚部（３）の最大周部分との間の移行領域には、前記頭部（１）の方向に指向する（複数の）係止面（２５、２６）が形成され、
前記固定装置が所定の態様で配置されると、前記（複数の）係止面（２５、２６）が固定対象物に後方から係合ロックすることによって、前記固定装置は該固定対象物と固定的に結合されるよう構成されること、
前記複数の側縁ウェブ（５、６）は、夫々、外方に湾曲された中央部分（１２、１３）を含むこと、及び
前記複数の側縁ウェブ（５、６）は、夫々、前記頭部（１）に指向すると共に他の構成要素の材料厚さよりも大きい材料厚さを有する基部分（１４、１５）を含むこと
を特徴とする固定装置。
【請求項２】
前記複数の側縁ウェブ（５、６）は、前記頭部（１）から離隔する各自の端部において、前記脚部シャフト（４）の脚部ブリッジ部材（９）を介して互いに結合されること
を特徴とする請求項１に記載の固定装置。
【請求項３】
前記複数の側縁ウェブ（５、６）は、前記頭部（１）を指向する各自の端部において、夫々、前記頭部（１）との結合を形成する結合部材（１６、１７）が形成されていること
を特徴とする請求項１又は２に記載の固定装置。
【請求項４】
対向して配置される２つの側縁ウェブ（５、６）は、中央面に対しずらされて配置されていること
を特徴とする請求項１〜３の何れか一項に記載の固定装置。
【手続補正２】
【補正対象書類名】明細書
【補正対象項目名】全文
【補正方法】変更
【補正の内容】
【発明の詳細な説明】
【技術分野】
【０００１】
本発明は、請求項１の上位概念（前置部）に基づく固定装置に関する。即ち、本発明は、孔部に嵌込むための係止脚部を有する固定装置であって、前記係止脚部が、頭部から離隔する方向に延在する脚部シャフトを含み、かつ前記係止脚部が、該脚部シャフトの側端縁部（複数）に配される複数の翼部を含むよう構成される固定装置に関する。
【背景技術】
【０００２】
この種の固定装置は、DE 100 06 593 A1から既知である。この既知の固定装置は、孔（ないし切欠き開口）に嵌込むための１つの係止脚部を有し、該係止脚部は、頭部から離隔する側に延在する平板状の脚部シャフトを有し、該平板状脚部シャフトの側縁部には２つの翼部が形成されている。さらに以下の特許文献２，３が既知である。
【特許文献１】DE 100 06 593 A1
【特許文献２】FR 2 142 200 A
【特許文献３】GB 1 348 753 A
【発明の開示】
【発明が解決しようとする課題】
【０００３】
本発明は、質量が比較的小さくかつフレキシビリティ（柔軟性）が大きくなるよう構成された冒頭で述べた種類の固定装置を提供することである。
【課題を解決するための手段】
【０００４】
上記の課題は、冒頭で述べた種類の固定装置において、請求項１の特徴部に記載の特徴によって解決される。即ち、本発明の固定装置は、孔部に嵌込むための係止脚部を有する固定装置であって、前記係止脚部が、頭部及び脚部ブリッジ部材に夫々結合される複数の側縁ウェブを含む脚部シャフトを含み、該複数の側縁ウェブの各々の間には、自由空間が形成されかつ該複数の側縁ウェブは該頭部から離隔する方向に延在し、及び前記係止脚部が、複数の翼部を含むよう構成される固定装置であって、前記複数の翼部は、夫々、各自に対応付けられた前記側縁ウェブに配され、前記複数の翼部は、夫々、対応する前記側縁ウェブの基部分に配される狭窄嵌込部分を含んで構成され、前記（複数の）狭窄嵌込部分は、前記頭部から離隔する方向に向かって周が拡開するよう構成され、前記（複数の）狭窄嵌込部分の各々からは、末端部分の方向に、夫々、貫通係止部分が延在し、前記（複数の）貫通係止部分は、夫々の周が、前記末端部分の方向に再び縮小するよう構成され、前記（複数の）狭窄嵌込部分と前記（複数の）貫通係止部分の前記係止脚部の最大周部分との間の移行領域には、前記頭部の方向に指向する（複数の）係止面が形成され、前記固定装置が所定の態様で配置されると、前記（複数の）係止面が固定対象物に後方から係合ロックすることによって、前記固定装置は該固定対象物と固定的に結合されるよう構成されること、前記複数の側縁ウェブは、夫々、外方に湾曲された中央部分を含むこと、及び前記複数の側縁ウェブは、夫々、前記頭部に指向すると共に他の構成要素の材料厚さよりも大きい材料厚さを有する基部分を含むことを特徴とする。（形態１）
【発明の効果】
【０００５】
本発明の固定装置では、脚部シャフトが、互いに対し離隔して配置されると共に（夫々１つの）自由空間を包囲するよう配置された複数の側縁ウェブ（Randstege）を含んで構成されることによって、脚部シャフトは、重量（質量）を比較的小さくすることができると共に、比較的大きな変動幅の範囲内でその寸法が変化する孔（ないし切欠き開口）に適合するための大きなフレキシビリティ（適応の柔軟性）を有することができる。というのは、このように構成された側縁ウェブ（複数）は、脚部シャフトに比較的大きなフレキシビリティ（柔軟性ないし可撓性）を与えるからである。
【発明を実施するための最良の形態】
【０００６】
本発明の更なる有利な実施形態は、従属請求項の対象である。
即ち、前記複数の側縁ウェブは、前記頭部から離隔する各自の端部において、前記脚部シャフトの脚部ブリッジ部材を介して互いに結合されることができる。（形態２）
前記複数の側縁ウェブは、前記頭部を指向する各自の端部において、夫々、前記頭部との結合を形成する結合部材が形成されていることができる。（形態３）
対向して配置される２つの側縁ウェブは、中央面に対しずらされて配置されていることができる。（形態４）
なお、前記複数の側縁ウェブの数は、前記複数の翼部の数に相当することが好ましい。（形態５）
なお、特許請求の範囲に付記した図面参照符号は、専ら理解を助けるためのものであり、図示の態様に本発明を限定することを意図するものではない。
【０００７】
以下に、本発明の好ましい実施例を図面を参照して説明する。なお、以下の説明から、本発明の更に有利な形態及び利点も明らかになる。
【実施例】
【０００８】
図１は、本発明の装置の一実施例の斜視図である。この本発明の装置は、本発明の装置の係止脚部３の方向に開かれている漏斗状（円錐台状）の傘状カバー部材２を含む頭部１を有する。係止脚部３は、例えば（本発明の）固定装置によって互いに結合される２つの部材を有するツーピースの（二部分からなる：zweiteilig）担持部材ないし装置（Traegeranordnung：固定対象物）（図１に不図示）の孔（ないし切欠き開口部）に嵌込可能に構成されている。更に、係止脚部３は、本書で説明する実施例では、第１の側縁ウェブ５と第２の側縁ウェブ６とを有し頭部１から離隔する方向に延在するよう構成された脚部シャフト４を有する。側縁ウェブ５、６は、互いに向い合うよう配置されている。第１の側縁ウェブ５の外側の側端縁部には、第１の翼部７が配され（形成され）、第２の側縁ウェブ６の外側の側端縁部（側縁部）には、それに応じて、第２の翼部８が形成されている。
【０００９】
側縁ウェブ５、６は、頭部１から離隔する側を指向する各自の端部において脚部シャフト４の脚部ブリッジ部材（Fusssteg）９を介して互いに結合されている。更に、側縁ウェブ５、６は、夫々、脚部ブリッジ部材９に配され（形成され）互いに対しほぼ平行に延在する短い末端部分１０、１１と、互いに対し（傘状カバー部材２の半径方向）外方に離隔するよう（中心軸から見て凹状に）湾曲されより長く構成された中央部分１２、１３と、末端部分１０、１１の（中央部分１２、１３を挟んで）反対側に位置し再びより短く構成された基部分１４、１５とを有する。基部分は、末端部分１０、１１及び中央部分１２、１３の各々の材料肉厚よりも大きい材料肉厚で構成されているが、これは、この実施例では、基部分１４、１５の互いに向い合う（傘状カバー部材２の半径方向内方を指向する）夫々の内側部分における材料の付加（厚み付けないし肉付け）によって生成されている。基部分１４、１５は、傘状カバー部材２の内側に結合されている結合部材１６、１７に配されている（形成ないし結合されている）。２つの結合部材１６、１７の間には、安定化（強化）部材（ないしリブ）１８、１９が形成されている（配設されている）。安定化（強化）部材１８、１９は、結合部材１６、１７と連携して、傘状カバー部材２をその中心領域において安定化（強化）し、本発明の固定装置を孔に安定的に配置することを支援する。その結果、脚部シャフト４には、頭部１から脚部ブリッジ部材９まで延在しかつ側縁ウェブ５、６の２つの長手方向側部によって境界が形成される自由空間２０が画成（形成）される。
【００１０】
本発明の固定装置の翼部７、８は、夫々、対応する側縁ウェブ５、６の基部分１４、１５に配される（形成ないし結合される）狭窄（絞り）嵌込部分（Eintauchabschnitt）２１、２２を含んで構成される。狭窄（絞り）嵌込部分２１、２２は、頭部１から離隔する方向に向かって周（ないし径）が拡開する（頭部１に向かって狭窄する）よう構成されている。狭窄（絞り）嵌込部分２１、２２の各々からは、末端部分１０、１１の方向に、夫々（１つの）貫通係止部分２３、２４が延在する。貫通係止部分２３、２４は、夫々の周面が、末端部分１０、１１の方向に再び縮小する（狭窄する）よう構成されている。狭窄（絞り）嵌込部分２１、２２と貫通係止部分２３、２４の係止脚部３の最大外周部分（最大径部分）との間の移行領域には、頭部１の方向に指向する係止面２５、２６が形成されている。本発明の固定装置が所定の（適切な）態様で（固定対象物の孔に嵌込まれて）配置されると、係止面２５、２６が、固定対象物に後方から係合ロックすることによって、本発明の固定装置は該固定対象物と固定的に結合される。
【００１１】
自由空間２０が形成されることにより、一面では、中実の（durchgehend）脚部シャフトに比べて重量（質量）を小さくすることができ、他面では、本発明の固定装置の脚部シャフト４は、比較的大きな変動範囲内にある横方向寸法を有する孔（ないし切欠き開口）に嵌込むことを可能にする比較的大きなフレキシビリティ（適応の柔軟性）を備えることができる。更に、翼部７、８は、とりわけ当該翼部７、８が側縁ウェブ５、６の中央部分１２、１３に配されている（結合ないし形成されている）中央領域において、それら自身のフレキシビリティ（柔軟性ないし可撓性）に加え、側縁ウェブ５、６が一緒に湾曲することにより、その横断面が明確に（大きく）縮小することが可能になる。
【００１２】
図２は、脚部ブリッジ部材９の方向に見た場合の狭窄（絞り）嵌込部分２１、２２の領域における図１の実施例の係止脚部３の横断面を示す。図２から明らかなとおり、側縁ウェブ５、６は、中央面に対して横方向に互いにずらされて配置されているため、本発明の固定装置は、射出成形によって比較的容易に製造することができる。
【図面の簡単な説明】
【００１３】
【図１】係止脚部を有する本発明の結合装置の一実施例の斜視図。
【図２】図１の実施例の係止脚部の横断面。
【国際調査報告】
2008519946.tif 000005
2008519946.tif 000006
2008519946.tif 000007
2008519946.tif 000008